(57)【要約】【課題】ユーザが関与する業務毎に、利用できる機能を制限する。【解決手段】実施形態の情報処理システムは、情報処理装置と、画像処理装置と、を備える情報処理システムであって、情報処理装置は、業務を識別する業務識別情報と、画像処理装置の機能の利用権限を示す権限情報と、を関連付けて記憶する記憶部と、画像処理装置から業務識別情報を受信し、受信された業務識別情報に関連付けられた権限情報を、画像処理装置に送信する第１の通信部と、を備え、画像処理装置は、業務識別情報の入力を受け付ける操作部と、入力された業務識別情報を情報処理装置に送信し、入力された業務識別情報に関連付けられた権限情報を、情報処理装置から受信する第２の通信部と、受信された権限情報に従って画像処理装置で利用可能な機能を制限する制御部と、を備える。【選択図】図１
2017130110.tif 000002
【特許請求の範囲】
【請求項１】
情報処理装置と、画像処理装置と、を備える情報処理システムであって、
前記情報処理装置は、
業務を識別する業務識別情報と、前記画像処理装置の機能の利用権限を示す権限情報と、を関連付けて記憶する記憶部と、
前記画像処理装置から前記業務識別情報を受信し、受信された前記業務識別情報に関連付けられた前記権限情報を、前記画像処理装置に送信する第１の通信部と、を備え、
前記画像処理装置は、
前記業務識別情報の入力を受け付ける操作部と、
入力された前記業務識別情報を前記情報処理装置に送信し、前記入力された業務識別情報に関連付けられた前記権限情報を、前記情報処理装置から受信する第２の通信部と、
受信された前記権限情報に従って前記画像処理装置で利用可能な機能を制限する制御部と、
を備える情報処理システム。
【請求項２】
前記記憶部は、前記画像処理装置の機能のデフォルトの利用権限を示すデフォルト権限情報を更に記憶し、
前記第１の通信部は、前記入力された業務識別情報が前記記憶部に記憶されていない場合、前記画像処理装置に前記デフォルト権限情報を送信し、
前記制御部は、前記第２の通信部が前記デフォルト権限情報を受信した場合、受信された前記デフォルト権限情報に従って前記画像処理装置で利用可能な機能を制限する、
請求項１に記載の情報処理システム。
【請求項３】
前記第１の通信部は、前記入力された業務識別情報に関連付けられた前記権限情報がない場合、前記画像処理装置に前記デフォルト権限情報を送信し、
前記制御部は、前記第２の通信部が前記デフォルト権限情報を受信した場合、受信された前記デフォルト権限情報に従って前記画像処理装置で利用可能な機能を制限する、
請求項２に記載の情報処理システム。
【請求項４】
前記第２の通信部は、前記操作部が前記業務識別情報の入力を受け付けなかった場合、前記情報処理装置から前記デフォルト権限情報を受信し、
前記制御部は、受信された前記デフォルト権限情報に従って前記画像処理装置で利用可能な機能を制限する、
請求項２又は３に記載の情報処理システム。
【請求項５】
前記情報処理装置は、
ユーザを認証するユーザ認証情報により、前記ユーザを認証する認証部を更に備え、
前記記憶部は、前記ユーザ認証情報と、前記ユーザ認証情報により識別されるユーザが行う業務を識別する前記業務識別情報と、を関連付けて記憶し、
前記第１の通信部は、前記入力された業務識別情報が、認証されたユーザを識別する前記ユーザ認証情報に関連付けられている場合、前記入力された業務識別情報に関連付けられた前記権限情報を、前記画像処理装置に送信し、
前記第２の通信部は、前記入力された業務識別情報に関連付けられた前記権限情報を、前記情報処理装置から受信し、
前記制御部は、受信された前記権限情報に従って前記画像処理装置で利用可能な機能を制限する、
請求項１乃至４のいずれか１項に記載の情報処理システム。
【請求項６】
前記記憶部は、前記ユーザ認証情報と、前記権限情報と、を関連付けて記憶し、
前記第１の通信部は、前記入力された業務識別情報が、認証されたユーザを識別する前記ユーザ認証情報に関連付けられていない場合、認証されたユーザを識別する前記ユーザ認証情報に関連付けられた前記権限情報を、前記画像処理装置に送信し、
前記第２の通信部は、前記認証されたユーザを識別するユーザ認証情報に関連付けられた権限情報を、前記情報処理装置から受信し、
前記制御部は、受信された前記権限情報に従って前記画像処理装置で利用可能な機能を制限する、
請求項５に記載の情報処理システム。
【請求項７】
業務を識別する業務識別情報と、画像処理装置の機能の利用権限を示す権限情報と、を関連付けて記憶する記憶部と、
画像処理装置から前記業務識別情報を受信し、受信された前記業務識別情報に関連付けられた前記権限情報を、前記画像処理装置に送信する通信部と、
を備える情報処理装置。
【請求項８】
業務を識別する業務識別情報と、画像処理装置の機能の利用権限を示す権限情報と、を関連付けて記憶する情報処理装置と、画像処理装置と、を備える情報処理システムの情報処理方法であって、
情報処理装置が、前記画像処理装置から前記業務識別情報を受信し、受信された前記業務識別情報に関連付けられた前記権限情報を、前記画像処理装置に送信するステップと、
画像処理装置が、前記業務識別情報の入力を受け付けるステップと、
画像処理装置が、入力された前記業務識別情報を前記情報処理装置に送信し、前記入力された業務識別情報に関連付けられた前記権限情報を、前記情報処理装置から受信するステップと、
画像処理装置が、受信された前記権限情報に従って前記画像処理装置で利用可能な機能を制限するステップと、
を含む情報処理方法。
【請求項９】
業務を識別する業務識別情報と、画像処理装置の機能の利用権限を示す権限情報と、を関連付けて記憶する記憶部を備えるコンピュータを、
画像処理装置から前記業務識別情報を受信し、受信された前記業務識別情報に関連付けられた前記権限情報を、前記画像処理装置に送信する通信部、
として機能させるためのプログラム。
【発明の詳細な説明】
【技術分野】
【０００１】
本発明は情報処理システム、情報処理装置、情報処理方法及びプログラムに関する。
【背景技術】
【０００２】
印刷及びコピー等の処理を行う前に、ユーザＩＤ及びパスワードの入力、又は、ユーザを識別するカードの読取等により、ユーザを認証する情報処理システムが従来から知られている。ユーザを認証する情報処理システムでは、印刷及びコピー等で利用できる機能を、ユーザ、又は、ユーザが所属する組織等に定められた機能利用権限に従って制限する機能が知られている。
【０００３】
特許文献１には、印刷及びコピー等の処理を代行する者等によるデータの漏洩等のリスクを軽減することができる権限管理装置の発明が開示されている。
【発明の概要】
【発明が解決しようとする課題】
【０００４】
しかしながら従来の技術では、ユーザが関与する業務毎に、利用できる機能を制限することができなかった。
【０００５】
本発明は、上記に鑑みてなされたものであって、ユーザが関与する業務毎に、利用できる機能を制限することができる情報処理システム、情報処理装置、情報処理方法及びプログラムを提供することを目的とする。
【課題を解決するための手段】
【０００６】
上述した課題を解決し、目的を達成するために、本発明は、情報処理装置と、画像処理装置と、を備える情報処理システムであって、前記情報処理装置は、業務を識別する業務識別情報と、前記画像処理装置の機能の利用権限を示す権限情報と、を関連付けて記憶する記憶部と、前記画像処理装置から前記業務識別情報を受信し、受信された前記業務識別情報に関連付けられた前記権限情報を、前記画像処理装置に送信する第１の通信部と、を備え、前記画像処理装置は、前記業務識別情報の入力を受け付ける操作部と、入力された前記業務識別情報を前記情報処理装置に送信し、前記入力された業務識別情報に関連付けられた前記権限情報を、前記情報処理装置から受信する第２の通信部と、受信された前記権限情報に従って前記画像処理装置で利用可能な機能を制限する制御部と、を備える。
【発明の効果】
【０００７】
本発明によれば、ユーザが関与する業務毎に、利用できる機能を制限することができるという効果を奏する。
【図面の簡単な説明】
【０００８】
【図１】図１は第１実施形態の情報処理システムの装置構成の例を示す図である。
【図２】図２は第１実施形態の画像処理装置の機能構成の例を示す図である。
【図３】図３は第１実施形態の情報処理装置の機能構成の例を示す図である。
【図４】図４は第１実施形態の端末の機能構成の例を示す図である。
【図５】図５は第１実施形態のサーバ装置の機能構成の例を示す図である。
【図６】図６は第１実施形態の情報処理方法の例を示すシーケンス図である。
【図７】図７は第１実施形態の検索条件を入力する入力画面の例を示す図である。
【図８】図８は第１実施形態の検索結果を含む表示画面の例を示す図である。
【図９】図９は第１実施形態の確認画面の例を示す図である。
【図１０】図１０は第１実施形態の機能一覧画面の例を示す図である。
【図１１】図１１は第２実施形態の業務情報一覧画面の例を示す図である。
【図１２】図１２は第２実施形態の権限情報設定画面の例を示す図である。
【図１３】図１３は第２実施形態のメンバー登録画面の例を示す図である。
【図１４】図１４は第２実施形態の情報処理方法の例を示すフローチャートである。
【図１５】図１５は第１及び第２実施形態の画像処理装置のハードウェア構成の例を示す図である。
【図１６】図１６は第１及び第２実施形態の情報処理装置、端末及びサーバ装置のハードウェア構成の例を示す図である。
【発明を実施するための形態】
【０００９】
以下に添付図面を参照して、情報処理システム、情報処理装置、情報処理方法及びプログラムの実施形態を詳細に説明する。
【００１０】
（第１実施形態）
図１は第１実施形態の情報処理システム１００の装置構成の例を示す図である。第１実施形態の情報処理システム１００は、画像処理装置１０、情報処理装置２０、端末３０及びサーバ装置４０を備える。画像処理装置１０、情報処理装置２０、端末３０及びサーバ装置４０は、ネットワーク９０を介して接続されている。なおネットワーク９０の通信方式は有線方式であっても無線方式であってもよい。またネットワーク９０は、有線方式と無線方式とを組み合わせて実現されていてもよい。
【００１１】
はじめに、第１実施形態の画像処理装置１０について説明する。
【００１２】
図２は第１実施形態の画像処理装置１０の機能構成の例を示す図である。第１実施形態の画像処理装置１０は、記憶部１０１、通信部１０２、操作部１０３、制御部１０４、印刷処理部１０５、コピー処理部１０６、スキャン処理部１０７、ファクス処理部１０８、第１の処理部１０９、及び、第２の処理部１１０を備える。画像処理装置１０は、例えば複合機である。
【００１３】
記憶部１０１は情報を記憶する。記憶部１０１に記憶される情報は、例えば画像処理装置１０の設定を示す設定情報等である。
【００１４】
通信部１０２は、ネットワーク９０に接続された他の装置と通信する。
【００１５】
通信部１０２は、例えば業務識別情報を情報処理装置２０に送信し、当該業務識別情報に関連付けられた権限情報を、情報処理装置２０から受信する。業務識別情報は業務を識別する情報である。業務識別情報は、例えば業務コードである。以下の説明では、業務識別情報が、業務コード（４ケタの整数）である場合を例にして説明する。また権限情報は画像処理装置１０の機能の利用権限を示す情報である。権限情報は情報処理装置２０で記憶される。権限情報の詳細な説明は後述する。
【００１６】
また例えば、通信部１０２は、ユーザ認証情報を情報処理装置２０に送信し、情報処理装置２０から当該ユーザ認証情報に基づく認証結果を受信する。ユーザ認証情報は、ユーザ名及びパスワードの組み合わせである。なおユーザ認証情報は任意でよい。ユーザ認証情報は、例えばユーザを識別する識別情報を含むＩＤカード等でもよい。
【００１７】
操作部１０３は画像処理装置１０を操作するためのインターフェースである。操作部１０３は、例えば液晶タッチパネル等である。操作部１０３は、例えば上述のユーザ認証情報の入力を受け付ける。また例えば、操作部１０３は上述の業務コードの入力を受け付ける。
【００１８】
制御部１０４は画像処理装置１０の動作を制御する。制御部１０４は、例えば上述の認証結果が認証ＯＫの場合、操作部１０３のロックを解除することにより、操作部１０３を操作可能な状態にする。また例えば制御部１０４は、画像処理装置１０の機能の利用権限を示す権限情報に従って、画像処理装置１０で利用可能な機能を制限する。
【００１９】
印刷処理部１０５は、画像処理装置１０の印刷機能に係る処理を実行する。コピー処理部１０６は、画像処理装置１０のコピー機能に係る処理を実行する。スキャン処理部１０７は、画像処理装置１０のスキャン機能に係る処理を実行する。ファクス処理部１０８は、画像処理装置１０のファクス機能に係る処理を実行する。
【００２０】
第１の処理部１０９は、画像処理装置１０の第１の処理に係る処理を実行する。第２の処理部１１０は、画像処理装置１０の第２の処理に係る処理を実行する。第１の処理及び第２の処理は任意でよい。第１の処理及び第２の処理は、例えば画像処理装置１０にインストールされた業務アプリケーション等により実現される処理である。業務アプリケーションは、例えば画像処理装置１０の機能を利用したワークフロー処理等である。
【００２１】
次に第１実施形態の情報処理装置２０について説明する。
【００２２】
図３は第１実施形態の情報処理装置２０の機能構成の例を示す図である。第１実施形態の情報処理装置２０は、記憶部１２１、通信部１２２、認証部１２３及び制御部１２４を備える。
【００２３】
記憶部１２１は情報を記憶する。記憶部１２１に記憶される情報は、例えば業務情報及び権限情報等である。
【００２４】
業務情報は、業務コード及び業務名を含む。業務コードは業務を識別する業務識別情報の一例である。業務名は業務の名称である。
【００２５】
権限情報は、印刷権限、コピー権限、スキャン権限、ファクス権限、アプリ１権限及びアプリ２権限を含む。
【００２６】
印刷権限は、画像処理装置１０の印刷処理部１０５により実現される印刷機能の利用権限を示す。印刷権限には、例えばカラー、モノクロ（白黒）、又は、権限なしが設定される。印刷権限にカラーが設定されている場合、カラー印刷及びモノクロ印刷が利用できることを示す。印刷権限にモノクロが設定されている場合、モノクロ印刷は利用できるが、カラー印刷が利用できないことを示す。印刷権限に権限なしが設定されている場合、画像処理装置１０の印刷機能が利用できないことを示す。
【００２７】
コピー権限は、画像処理装置１０のコピー処理部１０６により実現されるコピー機能の利用権限を示す。コピー権限には、例えばカラー、モノクロ（白黒）、又は、権限なしが設定される。コピー権限にカラーが設定されている場合、カラーコピー及びモノクロコピーが利用できることを示す。コピー権限にモノクロが設定されている場合、モノクロコピーは利用できるが、カラーコピーが利用できないことを示す。コピー権限に権限なしが設定されている場合、画像処理装置１０のコピー機能が利用できないことを示す。
【００２８】
なおカラーコピー時の利用権限として、モード制限を更に有していてもよい。モード制限は、例えば「自動カラー選択に限定」及び「フルカラー／自動カラー選択」である。自動カラーモードの場合、白黒原稿はモノクロコピーとしてコピーされる。フルカラーモードの場合、白黒原稿もカラーコピーとしてコピーされる。
【００２９】
スキャン権限は、画像処理装置１０のスキャン処理部１０７により実現されるスキャン機能の利用権限を示す。スキャン権限には、例えばカラー、モノクロ（白黒）、又は、権限なしが設定される。スキャン権限にカラーが設定されている場合、カラースキャン及びモノクロスキャンが利用できることを示す。スキャン権限にモノクロが設定されている場合、モノクロスキャンは利用できるが、カラースキャンが利用できないことを示す。スキャン権限に権限なしが設定されている場合、画像処理装置１０のスキャン機能が利用できないことを示す。
【００３０】
ファクス権限は、画像処理装置１０のファクス処理部１０８により実現されるファクス機能の利用権限を示す。ファクス権限には、例えば権限あり、又は、権限なしが設定される。ファクス権限に権限ありが設定されている場合、画像処理装置１０のファクス機能が利用できることを示す。ファクス権限に権限なしが設定されている場合、画像処理装置１０のファクス機能が利用できないことを示す。
【００３１】
アプリ１権限は、画像処理装置１０の第１の処理部１０９により実現される第１の処理機能の利用権限を示す。アプリ１権限には、例えば権限あり、又は、権限なしが設定される。アプリ１権限に権限ありが設定されている場合、画像処理装置１０の第１の処理機能が利用できることを示す。アプリ１権限に権限なしが設定されている場合、画像処理装置１０の第１の処理機能が利用できないことを示す。
【００３２】
アプリ２権限は、画像処理装置１０の第２の処理部１１０により実現される第２の処理機能の利用権限を示す。アプリ２権限には、例えば権限あり、又は、権限なしが設定される。アプリ２権限に権限ありが設定されている場合、画像処理装置１０の第２の処理機能が利用できることを示す。アプリ２権限に権限なしが設定されている場合、画像処理装置１０の第２の処理機能が利用できないことを示す。
【００３３】
記憶部１２１は業務情報及び権限情報を関連付けて記憶する。業務情報及び権限情報を関連付けて記憶する方法は任意でよい。記憶部１２１は、例えば業務情報及び権限情報を１つのテーブルで記憶してもよい。表１は業務情報及び権限情報を１つのテーブルで記憶する場合の例を示す。
【００３４】
【表１】
2017130110.tif 000003
【００３５】
表１のテーブルは、業務コード、業務名、印刷権限、コピー権限、スキャン権限、ファクス権限、アプリ１権限及びアプリ２権限を含む。表１の例では、例えば業務コードが０００１の契約業務の場合、印刷権限、コピー権限及びスキャン権限にカラーが設定され、ファクス権限に権限ありが設定され、アプリ１権限及びアプリ２権限に権限なしが設定されている。
【００３６】
通信部１２２は、ネットワーク９０に接続された他の装置と通信する。
【００３７】
通信部１２２は、例えば画像処理装置１０から業務コードを受信し、受信された業務コードに関連付けられた権限情報を、画像処理装置１０に送信する。
【００３８】
また例えば、通信部１２２は、画像処理装置１０から、上述のユーザ認証情報（ユーザ名及びパスワードの組み合わせ等）を受信すると、当該ユーザ認証情報を認証部１２３に入力する。また例えば、通信部１２２は、認証部１２３から、ユーザ認証情報が記憶されているか否かを問い合わせるリクエストを受け付けると、当該リクエストをサーバ装置４０に送信する。通信部１２２は、サーバ装置４０から問合せ結果を受信すると、当該問合せ結果を認証部１２３に入力する。通信部１２２は、認証部１２３から認証結果を受け付けると、当該認証結果を画像処理装置１０に送信する。
【００３９】
また例えば、通信部１２２は、端末３０から業務情報及び権限情報の追加、変更又は削除を示すリクエストを受け付けると、当該リクエストを制御部１２４に入力する。
【００４０】
認証部１２３は、上述のユーザ認証情報により、ユーザを認証する。具体的には、認証部１２３は、ユーザ認証情報が、サーバ装置４０に記憶されているか否かを、通信部１２２を介して問い合わせる。認証部１２３は、サーバ装置４０から、ユーザ認証情報が記憶されているか否かを示す情報を、通信部１２２を介して受信する。ユーザ認証情報が記憶されている場合、認証部１２３は、認証ＯＫを示す認証結果を、通信部１２２を介して画像処理装置１０に送信する。ユーザ認証情報が記憶されていない場合、認証部１２３は、認証ＮＧを示す認証結果を、通信部１２２を介して画像処理装置１０に送信する。
【００４１】
制御部１２４は情報処理装置２０の動作を制御する。制御部１２４は、例えば記憶部１２１の情報の記憶制御を行う。制御部１２４は、例えば記憶部１２１の業務情報及び権限情報の読出し、追加、変更及び削除等を行う。
【００４２】
次に第１実施形態の端末３０について説明する。
【００４３】
図４は第１実施形態の端末３０の機能構成の例を示す図である。第１実施形態の端末３０は、記憶部１３１、通信部１３２、表示部１３３、入力部１３４及び制御部１３５を備える。端末３０は、例えば情報処理装置２０及びサーバ装置４０等の設定に利用される。
【００４４】
記憶部１３１は情報を記憶する。通信部１３２は、ネットワーク９０に接続された他の装置と通信する。通信部１３２は、例えば上述の業務情報及び権限情報の追加、変更又は削除を示すリクエストを情報処理装置２０に送信する。また例えば、通信部１３２は、ユーザ情報の追加、変更又は削除を示すリクエストをサーバ装置４０に送信する。ユーザ情報の例は、後述の表２で説明する。
【００４５】
表示部１３３は情報を表示する。表示部１３３は、例えば液晶ディスプレイである。表示部１３３に表示される情報は、例えば業務情報、権限情報及びユーザ情報等の追加、変更又は削除を示す入力を受け付けるユーザインターフェース画面である。ユーザインターフェース画面を介した処理の例については、第２実施形態で詳細に説明する。
【００４６】
なお業務情報及び権限情報を情報処理装置２０に設定する方法は、ユーザインターフェース画面を介して端末３０から受け付ける方法に限られない。例えば業務情報及び権限情報を含むＣＳＶ形式のファイル等を、直接、情報処理装置２０に読み込ませることにより、情報処理装置２０の記憶部１２１に業務情報及び権限情報を記憶してもよい。同様に、ユーザ情報を含むＣＳＶ形式のファイル等を、直接、サーバ装置４０に読み込ませることにより、サーバ装置４０の記憶部１４１にユーザ情報を記憶してもよい。
【００４７】
入力部１３４は情報の入力を受け付ける。入力部１３４は、例えばキーボード及びマウスである。制御部１３５は端末３０の動作を制御する。
【００４８】
次に第１実施形態のサーバ装置４０について説明する。
【００４９】
図５は第１実施形態のサーバ装置４０の機能構成の例を示す図である。第１実施形態のサーバ装置４０は、記憶部１４１、通信部１４２及び制御部１４３を備える。
【００５０】
記憶部１４１は情報を記憶する。記憶部１４１に記憶される情報は、例えば上述のユーザ情報である。
【００５１】
【表２】
2017130110.tif 000004
【００５２】
表２は第１実施形態のユーザ情報の例を示す。表２の例では、ユーザ情報は、ユーザＩＤ、ユーザ名及びパスワードを含む。ユーザＩＤはユーザを識別する識別情報である。ユーザ名及びパスワードは、上述のユーザ認識情報である。例えばユーザＩＤが０００１のユーザのユーザ名は、ユーザＡであり、パスワードは１２３４である。
【００５３】
通信部１４２は、ネットワーク９０に接続された他の装置と通信する。通信部１４２は、例えば情報処理装置２０から、ユーザ認証情報が記憶されているか否かを問い合わせるリクエストを受信すると、当該リクエストを制御部１４３に入力する。通信部１４２は、制御部１４３からユーザ認証情報の問合せ結果を受け付けると、当該問合せ結果を情報処理装置２０に送信する。また例えば、通信部１４２は、端末３０からユーザ認証情報の追加、変更又は削除を示すリクエストを受信する。
【００５４】
制御部１４３は、サーバ装置４０の動作を制御する。制御部１４３は、例えば記憶部１４１の情報の記憶制御を行う。制御部１４３は、例えば記憶部１４１のユーザ認証情報の読出し、追加、変更及び削除等を行う。
【００５５】
次に第１実施形態の情報処理方法の例について説明する。
【００５６】
図６は第１実施形態の情報処理方法の例を示すシーケンス図である。はじめに、画像処理装置１０の操作部１０３が、ユーザ認証の後に、業務コードまたは業務名の入力を受け付け、入力された業務コード又は業務名を、検索条件として制御部１０４に入力する（ステップＳ１）。
【００５７】
図７は第１実施形態の検索条件を入力する入力画面の例を示す図である。図７の例は、テキストボックスにより、業務コードまたは業務名の入力を受け付ける場合を示す。なおテキストボックスに業務コードの一部または業務名の一部を示す入力情報が入力された場合、操作部１０３は、当該入力情報を、該当する１以上の業務コードまたは業務名を検索する検索条件として制御部１０４に入力する。
【００５８】
図６に戻り、次に、制御部１０４が、ステップＳ１で入力された検索条件を通信部１０２に入力する（ステップＳ２）。次に、通信部１０２が、制御部１０４から受け付けた検索条件を情報処理装置２０に送信する（ステップＳ３）。
【００５９】
次に、情報処理装置２０の通信部１２２が、画像処理装置１０から検索条件を受信すると、当該検索条件を制御部１２４に入力する（ステップＳ４）。次に、制御部１２４が、通信部１２２から受け付けた検索条件により、記憶部１２１の業務情報を検索する（ステップＳ５）。次に、制御部１２４が、検索結果を取得する（ステップＳ６）。次に、制御部１２４は、検索結果を通信部１２２に入力する（ステップＳ７）。次に、通信部１２２が、制御部１２４から受け付けた検索結果を画像処理装置１０に送信する（ステップＳ８）。
【００６０】
次に、画像処理装置１０の通信部１０２が、情報処理装置２０から検索結果を受信すると、当該検索結果を制御部１０４に入力する（ステップＳ９）。制御部１０４は、通信部１０２から検索結果を受け付けると、当該検索結果を含む表示画面を操作部１０３に表示する（ステップＳ１０）。
【００６１】
図８は第１実施形態の検索結果を含む表示画面の例を示す図である。図８の例は、例えば検索条件として「００１」が入力され、業務コードに「００１」を含む契約業務及び人事業務が検索された場合を示す。
【００６２】
図６に戻り、次に、操作部１０３は、検索結果を含む表示画面を介して業務コードの選択を示す入力を受け付けると、確認画面を表示する（ステップＳ１１）。
【００６３】
図９は第１実施形態の確認画面の例を示す図である。図９の例は、図８の画面で業務コードが０００１の契約業務が選択された場合を示す。
【００６４】
図６に戻り、操作部１０３は、確認画面の実行ボタンが押下されると、確認画面に表示されている業務コードを制御部１０４に入力する（ステップＳ１２）。次に、制御部１０４が、操作部１０３から業務コードを受け付けると、当該業務コードを通信部１０２に入力する（ステップＳ１３）。次に、通信部１０２が、制御部１０４から業務コードを受け付けると、当該業務コードを情報処理装置２０に送信する（ステップＳ１４）。
【００６５】
次に、情報処理装置２０の通信部１２２が、画像処理装置１０から業務コードを受信すると、当該業務コードを制御部１２４に入力する（ステップＳ１５）。次に、制御部１２４が、通信部１２２から業務コードを受け付けると、記憶部１２１から当該業務コードに関連付けられた権限情報を取得する（ステップＳ１６及びＳ１７）。次に、制御部１２４は、記憶部１２１から取得された権限情報を通信部１２２に入力する（ステップＳ１８）。次に、通信部１２２が、制御部１２４から権限情報を受け付けると、当該権限情報を画像処理装置１０に送信する（ステップＳ１９）。
【００６６】
次に、画像処理装置１０の通信部１０２が、情報処理装置２０から権限情報を受信すると、当該権限情報を制御部１０４に入力する（ステップＳ２０）。次に、制御部１０４が、通信部１０２から権限情報を受け付けると、当該権限情報に基づく機能一覧画面を操作部１０３に表示する（ステップＳ２１）。
【００６７】
図１０は第１実施形態の機能一覧画面の例を示す図である。図１０の例は、業務コードが０００１の契約業務で画像処理装置１０を利用する場合の機能一覧画面の例を示す。契約業務の権限情報（表１参照）で画像処理装置１０を利用する場合、カラー印刷機能、カラーコピー機能、カラースキャン機能及びファクス機能が利用可能であり、アプリ１及びアプリ２が利用不可となる。
【００６８】
以上説明したように、第１実施形態の情報処理システム１００では、情報処理装置２０の記憶部１２１が、業務を識別する業務識別情報（例えば業務コード）と、画像処理装置１０の機能の利用権限を示す権限情報と、を関連付けて記憶する。そして情報処理装置２０の通信部１２２が、画像処理装置１０から業務識別情報を受信し、受信された業務識別情報に関連付けられた権限情報を、画像処理装置１０に送信する。
【００６９】
また画像処理装置１０の操作部１０３が、業務識別情報の入力を受け付ける。また画像処理装置１０の通信部１０２が、入力された業務識別情報を情報処理装置２０に送信し、入力された業務識別情報に関連付けられた権限情報を、情報処理装置２０から受信する。そして画像処理装置１０の制御部１０４が、受信された権限情報に従って画像処理装置１０で利用可能な機能を制限する。
【００７０】
これにより第１実施形態の情報処理システム１００によれば、ユーザが関与する業務毎に、利用できる機能を制限することができる。
【００７１】
なお上述の第１実施形態の説明では、ユーザ情報をサーバ装置４０で記憶する場合について説明したが、ユーザ情報は情報処理装置２０で記憶してもよい。
【００７２】
（第２実施形態）
次に第２実施形態について説明する。第２実施形態の情報処理システム１００では、業務コードに関連付けられた権限情報、及び、ユーザＩＤに関連付けられた権限情報の２種類の権限情報を用いる点が、第１実施形態の情報処理システム１００とは異なる。また、第２実施形態の情報処理システム１００では、業務情報に権限情報が関連付けられていない場合を許容する点が、第１実施形態の情報処理システム１００とは異なる。第２実施形態の説明では、第１実施形態と同様の説明については省略する。
【００７３】
第２実施形態の情報処理システム１００の装置構成は、第１実施形態の情報処理システム１００の装置構成（図１参照）と同じである。第２実施形態の画像処理装置１０、情報処理装置２０、端末３０及びサーバ装置４０の機能構成は、第１実施形態の画像処理装置１０、情報処理装置２０、端末３０及びサーバ装置４０の機能構成（図２乃至図５参照）と同じである。
【００７４】
第２実施形態の情報処理システム１００の業務情報、権限情報及びユーザ情報の記憶制御方法について説明する。
【００７５】
第２実施形態の情報処理装置２０の記憶部１２１は、業務情報及び権限情報を別々のテーブルで記憶する。表３及び表４のテーブルは、業務情報及び権限情報を別々のテーブルで記憶する場合の例を示す。
【００７６】
【表３】
2017130110.tif 000005
【００７７】
表３のテーブルは、業務コード、業務名及び権限ＩＤを含む。業務コード及び業務名は業務情報である。業務情報の説明は、第１実施形態の説明と同じなので省略する。権限ＩＤは権限情報を識別する識別情報である。なお権限ＩＤが設定されていない場合、業務情報に権限情報が関連付けられていないことを示す。表３の例では、例えば業務コードが０００１の契約業務の権限ＩＤには、１００１が設定されている。
【００７８】
【表４】
2017130110.tif 000006
【００７９】
表４のテーブルは、権限ＩＤ、印刷権限、コピー権限、スキャン権限、ファクス権限、アプリ１権限及びアプリ２権限を含む。
【００８０】
権限ＩＤが１０００の権限情報は、デフォルト権限情報である。デフォルト権限情報は、例えば業務コードの入力を受け付けなかった場合（業務コードの入力がキャンセルされた場合）、指定された業務コードが存在しなかった場合、指定された業務コードに権限情報が関連付けられていなかった場合等に利用される。なおデフォルト権限情報の設定値は任意でよい。デフォルトの権限情報を、例えば最低限必要になる機能に制限する設定にすることにより、情報処理システム１００の運用コストを抑えることができる。
【００８１】
表４の例では、１００１以降の権限ＩＤにより識別される権限情報は、ユーザ又は管理者により設定された権限情報である。例えば権限ＩＤが１００１の権限情報の場合、印刷権限、コピー権限及びスキャン権限にカラーが設定され、ファクス権限に権限ありが設定され、アプリ１権限及びアプリ２権限に権限なしが設定されている。
【００８２】
また第２実施形態のサーバ装置４０の記憶部１４１は、権限ＩＤを含むユーザ情報を記憶する。
【００８３】
【表５】
2017130110.tif 000007
【００８４】
表５は第２実施形態のユーザ情報の例を示す。表５の例では、ユーザ情報は、ユーザＩＤ、ユーザ名、パスワード及び権限ＩＤを含む。ユーザＩＤはユーザを識別する識別情報である。ユーザ名及びパスワードは、上述のユーザ認識情報である。権限ＩＤは権限情報を識別する識別情報である。例えばユーザＩＤが０００１のユーザのユーザ名は、ユーザＡであり、パスワードは１２３４であり、権限ＩＤは１０１１である。
【００８５】
端末３０の制御部１３５は、業務情報一覧画面を表示部１３３に表示する。
【００８６】
図１１は第２実施形態の業務情報一覧画面の例を示す図である。制御部１３５は、業務コードを入力するテキストボックス２０３、及び、業務名を入力するテキストボックス２０４に入力がある状態で、追加ボタン２０１が押下されると、権限情報設定画面（図１２参照）を表示部１３３に表示する。
【００８７】
また制御部１３５は、業務コードを入力するテキストボックス２０３、又は、業務名を入力するテキストボックス２０４に入力がある状態で、検索ボタン２０５が押下されると、検索結果２０６を含む業務情報一覧画面を表示部１３３に表示する。
【００８８】
また制御部１３５は、検索結果２０６の更新ボタン２０７が押下されると、権限情報設定画面（図１２参照）を表示部１３３に表示する。また検索結果２０６のリストが２ページ以上ある場合、制御部１３５は、テキストボックス２０８にページ番号の入力がある状態で、ＧＯボタン２０９が押下されると、テキストボックス２０８に入力されたページ番号の検索結果２０６を含む業務情報一覧画面を表示部１３３に表示する。制御部１３５は、検索結果２０６のチェックボックスがチェックされている状態で、削除ボタン２０２が押下されると、チェックボックスがチェックされている業務情報（業務コード及び業務名）の削除を示すリクエストを、通信部１３２を介して情報処理装置２０に送信する。
【００８９】
図１２は第２実施形態の権限情報設定画面の例を示す図である。入力部１３４は、権限情報設定画面を介して権限情報を受け付ける。制御部１３５は、メンバー登録ボタン２２４が押下されると、メンバー登録画面（図１３参照）を表示する。
【００９０】
図１３は第２実施形態のメンバー登録画面の例を示す図である。図１３の例では、チェックボックスにより、業務に関連付けるユーザを指定する場合を示す。制御部１３５は、通信部１３２を介して取得された上述のユーザ情報（表５参照）に含まれるユーザ名を、メンバー登録画面に表示する。制御部１３５は、ＯＫボタンが押下された場合、チェックボックスにチェックが入れられたユーザのユーザＩＤを含むメンバー情報を生成する。
【００９１】
図１２に戻り、制御部１３５は、ＯＫボタン２２１が押下されると、テキストボックス２２２に入力された業務コードと、テキストボックス２２３に入力された業務名と、入力部１３４により権限情報設定画面を介して受け付けた権限情報と、メンバー情報と、を通信部１３２に入力する。通信部１３２は、制御部１３５から、業務コード、業務名、権限情報及びメンバー情報を受け付けると、業務コード、業務名、権限情報及びメンバー情報を情報処理装置２０に送信する。
【００９２】
情報処理装置２０の通信部１２２は、端末３０から業務コード、業務名、権限情報及びメンバー情報を受け付けると、業務コード、業務名、権限情報及びメンバー情報を制御部１２４に入力する。制御部１２４は、通信部１２２から、業務コード、業務名、権限情報及びメンバー情報を受け付けると、業務情報（業務コード及び業務名）と権限情報とを関連付けて記憶部１２１に記憶し、業務コードとメンバー情報（１以上のユーザＩＤ）とを関連付けて記憶部１２１に記憶する。
【００９３】
【表６】
2017130110.tif 000008
【００９４】
表６は業務コードとメンバー情報とを関連付けるテーブルの例を示す。表６の例は、例えば０００１の業務コードに、０００１、０００３、００１０及び００２１のユーザＩＤが関連付けられている場合を示す。
【００９５】
なお端末３０の制御部１３５は、業務情報（業務コード及び業務名）の作成時に、メンバー登録画面を介してメンバーの登録を受け付けなかった場合、通信部１３２を介してメンバー情報を情報処理装置２０に送信しない。この場合、情報処理装置２０の制御部１２４は、業務コードとメンバー情報とを関連付けて記憶部１２１に記憶しない。なおユーザは、業務情報一覧画面（図１１参照）の更新ボタン２０７から、権限情報設定画面（図１２参照）を開くことにより、業務コードとメンバー情報との関連付けを後から行うことが可能である。
【００９６】
また端末３０の制御部１３５は、業務情報（業務コード及び業務名）の作成時に、権限情報設定画面で、権限を設定しないことを示すチェックボックスにチェックが入れられている場合、通信部１３２を介して権限情報を情報処理装置２０に送信しない。この場合、情報処理装置２０の制御部１２４は、業務情報と権限情報とを関連付けて記憶部１２１に記憶しない。なおユーザは、業務情報一覧画面（図１１参照）の更新ボタン２０７から、権限情報設定画面（図１２参照）を開くことにより、業務情報と権限情報との関連付けを後から行うことが可能である。
【００９７】
次に第２実施形態の情報処理方法の例について説明する。
【００９８】
図１４は第２実施形態の情報処理方法の例を示すフローチャートである。はじめに、画像処理装置１０の操作部１０３が、ユーザ認証画面を表示し、ユーザＩＤ及びパスワードによるユーザ認証を行う（ステップＳ３１）。次に、画像処理装置１０の操作部１０３が、業務情報（業務コード及び業務名）を検索する検索条件を入力する入力画面（図７）を表示し、情報処理装置２０の制御部１２４が、入力画面を介して入力された検索条件を使用して、情報処理装置２０の記憶部１２１に記憶されている業務情報を検索する（ステップＳ３２）。
【００９９】
次に、画像処理装置１０の操作部１０３が、ステップＳ３２の処理により検索された業務情報を含む表示画面（図８参照）を表示する（ステップＳ３３）。次に、画像処理装置１０の操作部１０３が、ステップＳ３３で表示された業務情報から、業務情報を選択する入力を受け付ける（ステップＳ３４）。ステップＳ３４の処理により選択された業務情報の業務コードは、ステップＳ３１の処理で認証されたユーザのユーザＩＤとともに、画像処理装置１０の通信部１０２により、情報処理装置２０に送信される。
【０１００】
次に、情報処理装置２０の制御部１２４が、ステップＳ３１の処理で認証されたユーザのユーザＩＤと、ステップＳ３４の処理により選択された業務情報の業務コードが関連付けられて情報処理装置２０の記憶部１２１に記憶されているか否かを判定する（ステップＳ３５）。
【０１０１】
業務コードとユーザＩＤが関連付けられている場合（ステップＳ３５、Ｙｅｓ）、制御部１２４は、業務コードに権限ＩＤが関連付けられているか否かを判定する（ステップＳ３６）。業務コードに権限ＩＤが関連付けられている場合（ステップＳ３６、Ｙｅｓ）、制御部１２４は、権限ＩＤにより業務コードに関連付けられた権限情報を記憶部１２１から取得する（ステップＳ３７）。業務コードに権限ＩＤが関連付けられていない場合（ステップＳ３６、Ｎｏ）、制御部１２４は、権限ＩＤが１０００のデフォルト権限情報を記憶部１２１から取得する（ステップＳ３８）。ステップＳ３８の処理で取得されたデフォルト権限情報は、情報処理装置２０の通信部１２２により、画像処理装置１０に送信される。
【０１０２】
業務コードとユーザＩＤが関連付けられていない場合（ステップＳ３５、Ｎｏ）、制御部１２４は、ユーザＩＤに関連付けられた権限情報を記憶部１２１から取得する（ステップＳ３９）。具体的には、情報処理装置２０の制御部１２４は、通信部１２２を介してサーバ装置４０の記憶部１４１のユーザ情報を参照し、ユーザＩＤに関連付けられた権限ＩＤを取得する。そして制御部１２４は、当該権限ＩＤにより識別される権限情報を記憶部１２１から取得する。ステップＳ３９の処理で取得された権限情報は、情報処理装置２０の通信部１２２により、画像処理装置１０に送信される。
【０１０３】
次に、画像処理装置１０の制御部１０４が、通信部１０２を介して受信された権限情報に基づいて機能一覧画面（図１０参照）を操作部１０３に表示する（ステップＳ４０）。
【０１０４】
以上説明したように、第２実施形態の情報処理システム１００では、業務に関連付けられた権限情報と、ユーザに関連付けられた権限情報と、を利用することができるので、機能の利用制限と、利便性とを両立させることができる。
【０１０５】
具体的には、第２実施形態の情報処理システム１００によれば、会社の部署等の所属毎でなく、実際の作業の単位である業務毎に利用権限を定めることができるので、より柔軟に利用権限を定めることができる。例えばＩＴ会社等では、１つのプロジェクト毎に利用権限を定めることができる。また法律事務所等では、１つの案件毎に利用権限を定めることができる。しかしながら、一時的に業務に関わるメンバーが多い等の理由により、業務に関わるメンバーが不特定である場合、業務とユーザＩＤとの関連付けの設定及び解除を行う手間がかかる。
【０１０６】
一方、業務コードとユーザＩＤとを関連付けることなく、誰でも業務コードを利用できるようにしてしまうと、業務コードに機密性の高いアプリケーションによる機能等が関連付けられている場合、セキュリティ上の問題がある。また業務コードに、課金が必要になるアプリケーションにより実現される機能、及び、実行される度に高コストなリソースを消費してしまう機能等が関連付けられている場合、当該業務コードを入力することにより誰にでも当該アプリケーションの利用ができるようにしてしまうと、運用コストが上がってしまう問題がある。
【０１０７】
そこで第２実施形態の情報処理システム１００では、入力された業務識別情報（例えば業務コード）が、当該業務識別情報を入力したユーザのユーザＩＤに関連付けられている場合に、業務識別情報に関連付けられた権限情報を使用し、関連付けられていない場合に、ユーザＩＤに関連付けられた権限情報を使用する。これにより第２実施形態の情報処理システム１００によれば、セキュリティと利便性とを両立させることができる。
【０１０８】
なお業務コードとユーザＩＤとを関連付ける際に、有効期限を指定できるようにしてもよい。例えばメンバー登録画面で、ユーザ毎に、有効期限を設定できるようにしてもよい。有効期限が設定された場合、端末３０の通信部１３２は、有効期限を情報処理装置２０に更に送信する。情報処理装置２０の制御部１２４は、業務コードとユーザＩＤとを関連付けて記憶部１２１に記憶する際に、ユーザ毎に有効期限を更に記憶する。そして情報処理装置２０の制御部１２４は、有効期限が設定されたユーザＩＤと業務コードとの関連付けを、当該有効期限が過ぎた場合に解除する。
【０１０９】
なお有効期限の設定の仕方は任意でよい。例えば開始日時及び終了日時により有効期限を定めてもよいし、関連付けの設定を受け付けた時刻から、２４時間及び１週間等の時間情報により有効期限を定めてもよい。
【０１１０】
最後に第１及び第２実施形態の画像処理装置１０、情報処理装置２０、端末３０及びサーバ装置４０のハードウェア構成の例について説明する。
【０１１１】
図１５は第１及び２実施形態の画像処理装置１０のハードウェア構成の例を示す図である。図１５に示すように、画像処理装置１０は、本体部１と操作部１２とを備える。本体部１は、コピー機能、スキャナー機能、ファクス機能、プリンタ機能等を実現する。操作部１２は、画像処理装置１０を操作するためのユーザインターフェースである。
【０１１２】
本体部１及び操作部１２は、接続ＩＦ１９、専用の通信路３００及び接続ＩＦ２５６を介して相互に通信可能に接続されている。通信路３００は、例えばＵＳＢ（Ｕｎｉｖｅｒｓａｌ  Ｓｅｒｉａｌ  Ｂｕｓ）規格を用いることができるが、有線か無線かを問わず任意の規格のものでもよい。
【０１１３】
本体部１は、操作部１２で受け付けた操作に応じた動作を行う。また、本体部１は、ＰＣ等の外部装置とも通信可能であり、外部装置から受信した指示（印刷指示等）に応じた動作を行うこともできる。
【０１１４】
まず本体部１のハードウェア構成について説明する。図１５に示すように、本体部１は、読取部１１、通信部１３、印刷部１４、ＣＰＵ１５、ＲＯＭ１６、ＲＡＭ１７、ＨＤＤ１８及び接続ＩＦ１９を備える。読取部１１、通信部１３、印刷部１４、ＣＰＵ１５、ＲＯＭ１６、ＲＡＭ１７、ＨＤＤ１８及び接続ＩＦ１９はシステムバス９を介して相互に接続されている。
【０１１５】
読取部１１はコピー機能、スキャナー機能及びファクス機能を実現させるための処理を行うハードウェアである。読取部１１は、例えば原稿の画像をスキャンして読み取るスキャナー等を備えている。
【０１１６】
通信部１３は、ネットワーク９０と接続するためのインターフェースである。
【０１１７】
印刷部１４は、プリンタ機能を実現させるための処理を行うハードウェアである。印刷部１４は、例えば用紙等のシート材への印刷を行うプロッタ等を備えている。印刷部１４は、更に、印刷済みシート材を仕分けるフィニッシャーや、原稿を自動給送するＡＤＦ（自動原稿給送装置）のような特定のオプションを実現するためのハードウェアを備えていてもよい。
【０１１８】
ＣＰＵ１５は本体部１の動作を統括的に制御する。ＣＰＵ１５はＲＡＭ１７をワークエリア（作業領域）としてＲＯＭ１６又はＨＤＤ１８等に格納されたプログラムを実行することで、本体部１全体の動作を制御し、上述したコピー機能、スキャナー機能、ファクス機能、プリンタ機能等の各種機能を実現する。
【０１１９】
接続ＩＦ１９は、通信路３００を介して操作部１２と通信するためのインターフェースである。
【０１２０】
次に操作部１２のハードウェア構成について説明する。図１５に示すように、操作部１２は、ＣＰＵ２５１、ＲＯＭ２５２、ＲＡＭ２５３、フラッシュメモリ２５４、通信部２５５、接続ＩＦ２５６、操作パネル２５７及び外部接続ＩＦ２５８を備える。ＣＰＵ２５１、ＲＯＭ２５２、ＲＡＭ２５３、フラッシュメモリ２５４、通信部２５５、接続ＩＦ２５６、操作パネル２５７及び外部接続ＩＦ２５８はシステムバス２５９を介して相互に接続されている。
【０１２１】
ＣＰＵ２５１は操作部１２の動作を統括的に制御する。ＣＰＵ２５１はＲＡＭ２５３をワークエリア（作業領域）としてＲＯＭ２５２又はフラッシュメモリ２５４等に格納されたプログラムを実行することで、操作部１２全体の動作を制御し、ユーザから受け付けた入力に応じた情報（画像）の表示等を実現する。
【０１２２】
通信部２５５は、ネットワーク９０と接続するためのインターフェースである。接続ＩＦ２５６は、通信路３００を介して本体部１と通信するためのインターフェースである。
【０１２３】
操作パネル２５７はユーザの操作に応じた各種の入力を受け付けるとともに、各種の情報（例えば受け付けた操作に応じた情報、画像処理装置１０の動作状況を示す情報、設定状態などを示す情報等）を表示する。操作パネル２５７は、タッチパネル機能を搭載した液晶表示装置（ＬＣＤ）で構成されるが、液晶表示装置に限られるものではない。例えばタッチパネル機能が搭載された有機ＥＬ表示装置で構成されてもよい。なお操作部１２は、ユーザインターフェースとして更にハードウェアキー（ボタン）、及び、ランプ等の表示部を備えていてもよい。
【０１２４】
外部接続ＩＦ２５８は、スマートデバイス等の他の装置と接続するために使用されるＮＦＣ（Ｎｅａｒ  Ｆｉｅｌｄ  Ｃｏｍｍｕｎｉｃａｔｉｏｎ）等のインターフェースである。
【０１２５】
第１及び第２実施形態の画像処理装置１０では、本体部１のハードウェアが、操作部１２のハードウェアと独立している。これにより第１及び第２実施形態の画像処理装置１０は、開発に係るコスト面、並びに、画像処理に係る設定データ及びプログラムのアップデートなどの管理面などで利点がある。
【０１２６】
図１６は第１及び第２実施形態の情報処理装置２０、端末３０及びサーバ装置４０のハードウェア構成の例を示す図である。第１及び第２実施形態の情報処理装置２０、端末３０及びサーバ装置４０は、制御装置３０１、主記憶装置３０２、補助記憶装置３０３、表示装置３０４、入力装置３０５及び通信装置３０６を備える。制御装置３０１、主記憶装置３０２、補助記憶装置３０３、表示装置３０４、入力装置３０５及び通信装置３０６は、バス３１０を介して接続されている。
【０１２７】
制御装置３０１は補助記憶装置３０３から主記憶装置３０２に読み出されたプログラムを実行する。主記憶装置３０２はＲＯＭ及びＲＡＭ等のメモリである。補助記憶装置３０３はメモリカード及びＳＳＤ（Ｓｏｌｉｄ  Ｓｔａｔｅ  Ｄｒｉｖｅ）等である。
【０１２８】
表示装置３０４は情報を表示する。表示装置３０４は、例えば液晶ディスプレイである。入力装置３０５は、情報の入力を受け付ける。入力装置３０５は、例えばキーボード及びマウス等である。なお表示装置３０４及び入力装置３０５は、表示機能と入力機能とを兼ねる液晶タッチパネル等でもよい。
【０１２９】
第１及び第２実施形態の情報処理装置２０、端末３０及びサーバ装置４０で実行されるプログラムは、インストール可能な形式又は実行可能な形式のファイルでＣＤ−ＲＯＭ、メモリカード、ＣＤ−Ｒ及びＤＶＤ（Ｄｉｇｉｔａｌ  Ｖｅｒｓａｔｉｌｅ  Ｄｉｓｋ）等のコンピュータで読み取り可能な記憶媒体に記憶されてコンピュータ・プログラム・プロダクトとして提供される。
【０１３０】
また第１及び第２実施形態の情報処理装置２０、端末３０及びサーバ装置４０で実行されるプログラムを、インターネット等のネットワークに接続されたコンピュータ上に格納し、ネットワーク経由でダウンロードさせることにより提供するように構成してもよい。また第１及び第２実施形態の情報処理装置２０、端末３０及びサーバ装置４０が実行するプログラムを、ダウンロードさせずにインターネット等のネットワーク経由で提供するように構成してもよい。
【０１３１】
また第１及び第２実施形態の情報処理装置２０、端末３０及びサーバ装置４０で実行されるプログラムを、ＲＯＭ等に予め組み込んで提供するように構成してもよい。
【０１３２】
第１及び第２実施形態の情報処理装置２０、端末３０及びサーバ装置４０で実行されるプログラムは、上述の第１及び第２実施形態の情報処理装置２０、端末３０及びサーバ装置４０の機能構成のうち、プログラムにより実現可能な機能を含むモジュール構成となっている。
【０１３３】
プログラムにより実現される機能は、制御装置３０１が補助記憶装置３０３等の記憶媒体からプログラムを読み出して実行することにより、プログラムにより実現される機能が主記憶装置３０２にロードされる。すなわちプログラムにより実現される機能は、主記憶装置３０２上に生成される。
【０１３４】
なお第１及び第２実施形態の情報処理装置２０、端末３０及びサーバ装置４０の機能の一部又は全部を、ＩＣ（Ｉｎｔｅｇｒａｔｅｄ  Ｃｉｒｃｕｉｔ）等のハードウェアにより実現してもよい。
【符号の説明】
【０１３５】
１０  画像処理装置
２０  情報処理装置
３０  端末
４０  サーバ装置
１００  情報処理システム
１０１  記憶部
１０２  通信部
１０３  操作部
１０４  制御部
１０５  印刷処理部
１０６  コピー処理部
１０７  スキャン処理部
１０８  ファクス処理部
１０９  第１の処理部
１１０  第２の処理部
１２１  記憶部
１２２  通信部
１２３  認証部
１２４  制御部
１３１  記憶部
１３２  通信部
１３３  表示部
１３４  入力部
１３５  制御部
１４１  記憶部
１４２  通信部
１４３  制御部
【先行技術文献】
【特許文献】
【０１３６】
【特許文献１】特許第４９６８９１７号公報
【図１】
2017130110.tif 000009
【図２】
2017130110.tif 000010
【図３】
2017130110.tif 000011
【図４】
2017130110.tif 000012
【図５】
2017130110.tif 000013
【図６】
2017130110.tif 000014
【図７】
2017130110.tif 000015
【図８】
2017130110.tif 000016
【図９】
2017130110.tif 000017
【図１０】
2017130110.tif 000018
【図１１】
2017130110.tif 000019
【図１２】
2017130110.tif 000020
【図１３】
2017130110.tif 000021
【図１４】
2017130110.tif 000022
【図１５】
2017130110.tif 000023
【図１６】
2017130110.tif 000024